(57)【要約】【課題】ＯＣＢ液晶を用いる液晶装置において転移電圧と通常電圧とを簡易な構成で生成する。【解決手段】昇圧装置２００は、昇圧回路と制御部２１０とを備える。昇圧回路は昇圧された電圧に基づいて電荷を蓄積するキャパシタＣ１と、キャパシタに生じた電圧を分圧する抵抗Ｒ１，Ｒ２と、オン状態でキャパシタＣ１に蓄積された電荷を放電するトランジスタＴｒ２を有する。制御部２１０は、昇圧回路による電源電圧の昇圧開始後に、電圧Ｖn3が第１基準電圧Ｖref1に達したことを検出すると、所定時間その電圧を維持することで初期転移動作を行なわせ、所定時間経過後に、トランジスタＴｒ１をオン状態にし、電圧Ｖn3が第２基準電圧Ｖref2に達したことを検出すると、その電圧を維持することで通常電圧による駆動を行なわせる。【選択図】図３
2008216526.tif 000002
【特許請求の範囲】
【請求項１】
非表示状態から表示状態に遷移させるために転移電圧による初期転移動作を必要とし、初期転移動作後に前記転移電圧より低い通常電圧で駆動する液晶パネルを有する液晶装置であって、
電源電圧を昇圧して昇圧電圧を出力する昇圧回路と、
前記昇圧電圧に基づいて電荷を蓄積し、一方の端子が前記昇圧回路に電気的に接続され、他方の端子に固定電位が供給されるキャパシタと、
前記キャパシタの一方の端子に生じた電圧を分圧する抵抗と、
オン状態で前記キャパシタに蓄積された電荷を放電するスイッチと、
前記液晶パネルに供給する電圧を制御する電圧制御用装置とを備え、
前記電圧制御用装置は、
前記昇圧回路による電源電圧の昇圧開始後に、前記抵抗によって分圧された分圧電圧が第１の基準値に達したことを検出すると、所定時間だけ前記第１の基準値に達した前記分圧電圧を維持することで前記初期転移動作を行なわせ、前記所定時間経過後に、前記スイッチをオン状態にし、前記分圧電圧が第２の基準値に達したことを検出すると、前記第２の基準値に達した前記分圧電圧を維持することで前記通常電圧による駆動を行なわせることを特徴とする液晶装置。
【請求項２】
前記第１の基準値は、前記転移電圧を前記抵抗で分圧した値に相当し、前記第２の基準値は、前記通常電圧を前記抵抗で分圧した値に相当することを特徴とする請求項１に記載の液晶装置。
【請求項３】
前記電圧制御用装置の耐電圧は、前記転移電圧より低いことを特徴とする請求項１に記載の液晶装置。
【請求項４】
請求項１に記載の液晶装置であって、
前記液晶パネルに用いられる液晶は、配向状態として第１配向状態と第２配向状態とを有し、前記転移電圧は液晶の配向状態を第１配向状態から第２配向状態に遷移させるために用いられることを特徴とする請求項１に記載の液晶装置。
【請求項５】
非表示状態から表示状態に遷移させるために転移電圧による初期転移動作を必要とし、初期転移動作後に前記転移電圧より低い通常電圧を液晶パネルに供給する電圧供給装置であって、
電源電圧を昇圧して昇圧電圧を出力する昇圧回路と、
前記昇圧電圧に基づいて電荷を蓄積し、一方の端子が前記昇圧回路に電気的に接続され、他方の端子に固定電位が供給されるキャパシタと、
前記キャパシタの一方の端子に生じた電圧を分圧する抵抗と、
オン状態で前記キャパシタに蓄積された電荷を放電するスイッチと、
前記液晶パネルに供給する電圧を制御する電圧制御用装置とを備え、
前記電圧制御用装置は、
前記昇圧回路による電源電圧の昇圧開始後に、前記抵抗によって分圧された分圧電圧が第１の基準値に達したことを検出すると、所定時間だけ前記第１の基準値に達した前記分圧電圧を維持することで前記初期転移動作を行なわせ、前記所定時間経過後に、前記スイッチをオン状態にし、前記分圧電圧が第２の基準値に達したことを検出すると、前記第２の基準値に達した前記分圧電圧を維持することで前記通常電圧による駆動を行なわせることを特徴とする電圧供給装置。
【発明の詳細な説明】
【技術分野】
【０００１】
本発明は、配向状態として表示可能な第１配向状態と表示不能な第２配向状態とを有する液晶を用いた液晶装置およびその電圧供給装置に関する。
【背景技術】
【０００２】
液晶の透過率の変化により表示を行う液晶装置は、情報処理機器やテレビジョンなどの表示装置として広く用いられている。液晶装置の表示方式としては、従来、ＴＮ（Twisted Nematic）方式が一般的であったが、応答特性や視野角の改善を図るために、近年、種々の方式が開発されている。
【０００３】
例えば、特許文献１には、ＯＣＢ（Optical Compensated Bend）型液晶表示素子を用いた表液晶示装置が開示されている。ＯＣＢ方式の液晶装置は、ＴＮ方式の液晶装置と比較して、高速動作が可能であり、動画特性が優れている。また、視野角が広いことから実用化に向けて研究が進められている。
【特許文献１】特開２００２−２７８５２４号公報
【発明の開示】
【発明が解決しようとする課題】
【０００４】
ＯＣＢ方式の液晶装置は、電源投入前の状態では液晶分子が画像の表示に適さないスプレイ配向と呼ばれる状態になっている。このため、画像の表示に際しては、電源投入時等に初期転移動作を行ない、液晶分子を画像の表示に適したベンド配向と呼ばれる状態に転移させる必要がある。
【０００５】
特許文献１に記載されているように、初期転移時には、通常、１０数Ｖ以上の比較的高い電圧を所定時間、液晶パネルに印加しなければならない。このような電圧を、３．３Ｖ程度の電源電圧を用いている情報処理機器、例えば、携帯電話機で得ようとすると、電源電圧を５倍程度昇圧する必要がある。
また、初期転移が完了した後には、転移に必要な電圧よりも低い、通常駆動用の電圧を液晶パネルに供給する必要がある。
【０００６】
これらの電圧制御をＩＣ等の半導体装置で行なおうとすると、半導体装置には比較的高い耐電圧性が必要となる。しかしながら、高い耐電圧性を有する半導体装置は一般に高価であるため、電圧制御を半導体装置で行なうことは、コストアップを招くことになる。また、転移後に通常駆動用の電圧に移行させるための構成も、なるべく簡易な方がコストダウンの観点から望ましい。
【０００７】
本発明は、上述した事情に鑑みてなされたもので、その目的とするところは、初期転移動作に電源電圧を昇圧した電圧を必要とし、初期転移動作後に転移電圧より低い通常電圧で駆動する液晶装置において、電圧制御を行なう装置のコストダウンを図ることにある。
【課題を解決するための手段】
【０００８】
上述した課題を解決するため、本発明に係る液晶装置は、非表示状態から表示状態に遷移させるために転移電圧による初期転移動作を必要とし、初期転移動作後に前記転移電圧より低い通常電圧で駆動する液晶パネルを有するものであって、電源電圧を昇圧して昇圧電圧を出力する昇圧回路（例えば、図３に示すＬ１、Ｔｒ１、Ｄ１）と、前記昇圧電圧に基づいて電荷を蓄積し、一方の端子が前記昇圧回路に電気的に接続され、他方の端子に固定電位が供給されるキャパシタと、前記キャパシタの一方の端子に生じた電圧を分圧する抵抗と、オン状態で前記キャパシタに蓄積された電荷を放電するスイッチ（例えば、図３に示すＴｒ２）と、前記液晶パネルに供給する電圧を制御する電圧制御用装置とを備え、前記電圧制御用装置は、前記昇圧回路による電源電圧の昇圧開始後に、前記抵抗によって分圧された分圧電圧（例えば、図３に示すＶn3）が第１の基準値に達したことを検出すると、所定時間だけ前記第１の基準値に達した前記分圧電圧を維持することで前記初期転移動作を行なわせ、前記所定時間経過後に、前記スイッチをオン状態にし、前記分圧電圧が第２の基準値に達したことを検出すると、前記第２の基準値に達した前記分圧電圧を維持することで前記通常電圧による駆動を行なわせることを特徴とする。
【０００９】
この液晶装置によれば、電源電圧を昇圧して転移電圧を生成するとともに、スイッチを用いてキャパシタに蓄積された電荷を放電するので、転移電圧より低い通常電圧を生成することができる。したがって、転移電圧用の電源を別途用意する必要がなくなり、装置全体の構成を簡易なものとすることができる。なお、キャパシタの一方の端子に生じた電圧を分圧する抵抗は、キャパシタの一方の端子と固定電位が供給されるノードの間に直列に接続された第１抵抗と第２抵抗からなり、第１抵抗と第２抵抗の接続点から分圧電圧を取り出すことが好ましい。
【００１０】
ここで、前記第１の基準値は、前記転移電圧を前記抵抗で分圧した値に相当し、前記第２の基準値は、前記通常電圧を前記抵抗で分圧した値に相当することが好ましい。これにより、転移電圧と通常電圧とを監視して、昇圧動作および降圧動作に反映させ、フィードバック制御を行うことができる。
また、前記電圧制御用装置の耐電圧は、前記転移電圧より低いことが好ましい。抵抗で分圧した電圧を電圧制御用装置に取り込むことにより、電圧制御用装置の耐電圧を下げることが可能となる。このように、転移電圧といった比較的高い電圧を取り扱う系統とこれを制御する系統を分離したので、電圧制御用装置に用いられる半導体素子の耐圧を下げることができ、電圧制御用装置のコストを削減することができる。
【００１１】
また、上述した液晶装置において、前記液晶パネルに用いられる液晶は、配向状態として第１配向状態と第２配向状態とを有し、前記転移電圧は液晶の配向状態を第１配向状態から第２配向状態に遷移させるために用いられることが好ましい。このような液晶としては、配向状態としてスプレイ配向状態とベンド配向状態とを有するＯＣＢ液晶が該当する。
【００１２】
次に、本発明に係る電圧供給装置は、非表示状態から表示状態に遷移させるために転移電圧による初期転移動作を必要とし、初期転移動作後に前記転移電圧より低い通常電圧を液晶パネルに供給するものであって、電源電圧を昇圧して昇圧電圧を出力する昇圧回路と、
前記昇圧電圧に基づいて電荷を蓄積し、一方の端子が前記昇圧回路に電気的に接続され、他方の端子に固定電位が供給されるキャパシタと、前記キャパシタの一方の端子に生じた電圧を分圧する抵抗と、オン状態で前記キャパシタに蓄積された電荷を放電するスイッチと、前記液晶パネルに供給する電圧を制御する電圧制御用装置とを備え、前記電圧制御用装置は、前記昇圧回路による電源電圧の昇圧開始後に、前記抵抗によって分圧された分圧電圧が第１の基準値に達したことを検出すると、所定時間だけ前記第１の基準値に達した前記分圧電圧を維持することで前記初期転移動作を行なわせ、前記所定時間経過後に、前記スイッチをオン状態にし、前記分圧電圧が第２の基準値に達したことを検出すると、前記第２の基準値に達した前記分圧電圧を維持することで前記通常電圧による駆動を行なわせることを特徴とする。
この電圧供給装置によれば、電源電圧を昇圧して転移電圧を生成するとともに、スイッチを用いてキャパシタに蓄積された電荷を放電するので、転移電圧より低い通常電圧を生成することができる。したがって、転移電圧用の電源を別途用意する必要がなくなる。
【発明を実施するための最良の形態】
【００１３】
以下、本発明の実施形態について図面を参照して説明する。
図１に本実施形態に係る液晶装置のブロック図を示す。液晶装置７００は、電源電圧に基づいて所定の電圧を生成する昇圧装置２００を含み、電気光学材料として液晶を用いる。液晶装置７００は、主要部として液晶パネルＡＡを備える。液晶パネルＡＡは、スイッチング素子としてＴＦＴ（thin film transistor）を形成した素子基板と対向基板とを互いに電極形成面を対向させて、かつ、一定の間隙を保って貼付し、この間隙に液晶が挟持されている。この例の液晶はＯＣＢ液晶である。
【００１４】
また、液晶装置７００は、タイミング発生回路１３０、画像処理回路１４０、メイン制御回路１５０およびバックライト１６０を備える。液晶パネルＡＡの素子基板上には、画像表示領域Ａ、走査線駆動回路１１０およびデータ線駆動回路１２０が形成されている。
【００１５】
メイン制御回路１５０は、アナログ形式で外部装置から供給される入力画像信号Ｖｉｎをデジタル信号に変換し、入力画像データＤｉｎとして画像処理回路１４０に供給する。また、メイン制御回路１５０はバックライト１６０の点灯制御を行う。本実施形態において、バックライト６００は、液晶パネルＡＡの画像を表示する面の反対側に設けられておいる。なお、バックライト６００を、液晶パネルＡＡを走査線の方向に分割した複数の領域において、点灯・消灯を制御できるように構成してもよい。
【００１６】
昇圧装置２００は、電源投入時等に、液晶をスプレイ配向からベンド配向に転移させるための比較的高い転移電圧Ｖcom1を生成し、転移後の通常駆動時には、通常駆動用の比較的低い通常電圧Ｖcom2を生成する。メイン制御回路１５０と昇圧装置２００とは制御信号線で接続され、メイン制御回路１５０から出力される制御信号ＣＴＬによって、電圧切替のタイミング調整等を行えるようになっている。転移電圧Ｖcom1と通常電圧Ｖcom2とは共通電圧Ｖcomとして、対向基板の全面に形成される対向電極６２に供給される。
【００１７】
メイン制御回路１５０が画像処理回路１４０に供給する入力画像データＤｉｎは、例えば、２４ビットパラレルの形式である。タイミング発生回路１３０は、画像処理回路１４０から供給される水平走査信号や垂直走査信号などの制御信号に同期して、Ｙクロック信号ＹＣＫ、Ｘクロック信号ＸＣＫ、Ｙ転送開始パルスＤＹ、およびＸ転送開始パルスＤＸを生成して、走査線駆動回路１１０およびデータ線駆動回路１２０に供給する。また、タイミング発生回路１３０は、画像処理回路１４０を制御する各種のタイミング信号を生成し、これを出力する。
【００１８】
ここで、Ｙクロック信号ＹＣＫは、走査線２０を選択する期間を特定し、Ｘクロック信号ＸＣＫは、データ線１０を選択する期間を特定する。また、Ｙ転送開始パルスＤＹは走査線２０の選択開始を指示するパルスであり、一方、Ｘ転送開始パルスＤＸはデータ線１０の選択開始を指示するパルスである。
次に、画像処理回路１４０は、入力画像データＤｉｎに、液晶パネルＡＡの光透過特性を考慮したガンマ補正等を施した後、ＲＧＢ各色の画像データをＤ／Ａ変換して、画像信号ＶＩＤを生成して液晶パネルＡＡに供給する。
【００１９】
図２に画像表示領域Ａの詳細な構成を示す。画像表示領域Ａには、ｍ（ｍは２以上の自然数）本の走査線２０が、Ｘ方向に沿って平行に配列して形成される一方、ｎ（ｎは２以上の自然数）本のデータ線１０が、Ｙ方向に沿って平行に配列して形成されている。そして、データ線１０と走査線２０との交差に対応してｍ×ｎ個の画素回路Ｐが配列される。
【００２０】
同図に示すように画素回路Ｐは、液晶素子６０およびＴＦＴ５０を備える。液晶素子６０は画素電極６１と対向電極６２との間にＯＣＢ液晶を挟持して構成される。対向電極６２には共通電圧Ｖcomが供給される。ＴＦＴ５０のゲート電極は走査線２０に電気的に接続され、そのドレイン電極またはソース電極の一方がデータ線１０に電気的に接続され、他方が画素電極６１に電気的に接続される。したがって、共通電圧Ｖcomを変化させることによって、液晶に印加する電圧を変化させることができる。
【００２１】
図１に示すデータ線駆動回路１２０は、データ信号Ｘ１〜Ｘｎをｎ本のデータ線１０に出力する。信号の極性を対向電極６２の共通電圧Ｖcomを基準として高電位を正極性、低電位を負極性と定めると、奇数番目のフレームではデータ信号の極性を正極性とし、偶数番目のフレームではデータ信号の極性を負極性とする。これにより、フレーム単位で液晶に印加される電圧が反転する。なお、ライン単位で液晶に印加する電圧を反転してもよいし、ドット単位で液晶に印加する電圧を反転してもよい。
【００２２】
また、各走査線２０には、走査線駆動回路１１０から、走査信号Ｙ１、Ｙ２、…、Ｙｍが、パルス的に線順次で印加されるようになっている。このため、ある走査線２０に走査信号が供給されると、当該行の画素回路ＰにおいてＴＦＴ５０がオン状態となり、データ線１０を介して供給されるデータ信号が液晶素子６０に書き込まれる。各画素に印加される電圧レベルに応じて液晶分子の配向や秩序が変化するので、光変調による階調表示が可能となる。例えば、液晶を通過する光量は、ノーマリーホワイトモードであれば、印加電圧が高くなるにつれて制限される一方、ノーマリーブラックモードであれば、印加電圧が高くなるにつれて緩和されるので、液晶装置７００全体では、画像信号に応じたコントラストを持つ光が画素毎に出射される。この例の液晶装置７００はノーマリホワイトである。なお、保持された画像信号がリークするのを防ぐために、保持容量を画素電極６１と対向電極６２との間に形成される液晶容量と並列に付加してもよい。
【００２３】
図３は、昇圧装置２００の構成を示すブロック図である。昇圧装置２００は、入力電圧Ｖ１を昇圧した共通電圧Ｖcomを液晶パネルＡＡの対向電極６２に供給する。この例の昇圧装置２００は、インダクタＬ１、トランジスタＴｒ１、ダイオードＤ１で構成される昇圧回路と制御部２１０を備える。トランジスタＴｒ１は、発振器２１１によりスイッチングを繰り返し、インダクタＬ１に起電力を発生させる。そして、生じた電圧を制御部２１０が制御することで共通電圧Ｖcomを生成し、液晶装置７００に供給する。ここで、共通電圧Ｖcomは、上述のように、転移電圧Ｖcom1と、通常電圧Ｖcom2である。
【００２４】
具体体には、制御部２１０は、昇圧回路によって生じたコンデンサＣ１の電圧を抵抗Ｒ１と抵抗Ｒ２で分圧し、抵抗Ｒ２の電圧をコンパレータ２１４で基準電圧と比較することにより、トランジスタＴｒ１のオン・オフを制御する第１スイッチング信号Ｖsw1とトランジスタＴｒ２のオン・オフを制御する第２スイッチング信号Ｖsw2とを生成する。
ここで、制御部２１０は、ＩＣ等の半導体装置で構成することができ、また、抵抗Ｒ１と抵抗Ｒ２の値は、ノードＮ３の電圧Ｖｎ3が、制御部２１０を構成する半導体装置の耐電圧値を超えないように選ぶことが可能である。このため、制御部２１０を構成する半導体装置に、転移に必要な高い転移電圧Ｖcom2に対する耐電圧性が不要となり、コストダウンを図ることができる。また、電源電圧を昇圧するため、転移用の電源を別途用意する必要もない。
【００２５】
コンパレータ２１４で比較される基準電圧には、転移電圧Ｖcom1を検出するための第１基準電圧Ｖref1と、通常電圧Ｖcom2を検出するための第２基準電圧Ｖref2が用いられ、スイッチ２１３により切り替えるようになっている。
また、コンデンサＣ１にはこれと並列にトランジスタＴｒ２が接続されている。トランジスタＴｒ２は共通電圧Ｖcomを転移電圧Ｖcom1から通常電圧Ｖcom2に遷移させる期間においてオン状態となり、コンデンサＣ１に蓄積された電荷を放電させる手段として機能する。
【００２６】
制御部２１０は、電圧制御手順を司るシーケンサ部２１２を備える。シーケンサ部２１２は、トランジスタＴｒ１のオンオフ切り替えにより入力電圧Ｖ１を昇圧する処理、スイッチ２１３の切り替えによる電圧Ｖｎ3を検出する処理、トランジスタＴｒ２のオンオフ切り替えにより、転移電圧Ｖcom1を保持する処理および通常電圧Ｖcom2を維持するための処理を行なう。入力電圧Ｖ１を昇圧する処理において、シーケンサ部２１２はＡＮＤ回路２１６の一方の端子にハイレベルとなるイネーブル信号ＥＮを供給する。ＡＮＤ回路２１６の他方の端子には発振器２１１より発振信号ＯＳＣが供給されている。ＡＮＤ回路２１６は、発振信号ＯＳＣとイネーブル信号ＥＮの論理積を第１スイッチング信号Ｖsw1としてトランジスタＴｒ１に出力する。すなわち、イネーブル信号ＥＮがアクティブになると、トランジスタＴｒ１はオンオフを繰り返し、イネーブル信号ＥＮが非アクティブになると、トランジスタＴｒ１はオフする。
【００２７】
また、転移電圧Ｖcom1の保持は、液晶がベンド配向状態に転移するのに必要な時間を確保するために行なわれる。このために、シーケンサ部２１２は、液晶がベンド配向状態に転移するのに必要な時間を計時するタイマ２１５を備える。例えば、タイマ２１５はカウンタで構成される。タイマ２１５は、タイマイネーブル信号Ｔenがハイレベルのとき計数を実行し、計数値が所定値に達すると出力信号Ｔoutをアクティブにする。シーケンサ部２１２は、コンパレータ２１４によって共通電圧Ｖcomが転移電圧Ｖcom1に達したことが検知されると、タイマイネーブル信号Ｔenをハイレベルにし、出力信号Ｔoutがアクティブになるとタイマイネーブル信号Ｔenをローレベルにする。なお、タイマ２１５は発振信号ＯＳＣのパルスを計数してもよい。
【００２８】
図４は、昇圧装置２００が、入力電圧Ｖ１を昇圧していく様子を表すタイミング図である。本図では、トランジスタＴｒ１のベースに印加されるパルス電圧と、トランジスタＴｒ１のコレクタ側に生じる電圧Ｖn1と、コンデンサＣ１に生じる電圧Ｖn2との関係を示している。
本図に示すように、トランジスタＴｒ１がオフの初期状態では、ノードＮ１の電圧Ｖn1およびノードＮ２の電圧Ｖn2はともに入力電圧Ｖ１である。時刻ｔ１でトランジスタＴｒ１がオンになると、電圧Ｖn1は接地電位ＧＮＤに落ちる。このとき、ダイオードＤ１はオフ状態となるので、ノードＮ２の電圧Ｖn2はコンデンサＣ１によって入力電圧Ｖ１が保持される。
【００２９】
時刻ｔ２でトランジスタＴｒ１がオフになると、インダクタＬ１に起電力が生じ、コンデンサＣ１を充電する。このため、電圧Ｖn1と電圧Ｖn2とが上昇する。一方、インダクタＬ１に生じた起電力は、入力電圧Ｖ１に向かって落ちていくため、時刻ｔ３で電圧Ｖn1と電圧Ｖn2との上昇が止まる。その後、電圧Ｖn1は、入力電圧Ｖ１に向かって落ちていく。ダイオードＤ１はオフ状態となるので、ノードＮ２の電圧Ｖn2は保持される。
【００３０】
時刻ｔ４でトランジスタＴｒ１が再度オンになると、ノードＮ１は接地電位ＧＮＤに落ちるが、電圧Ｖn2はダイオードＤ１により電圧が保持される。時刻ｔ５でトランジスタＴｒ１が再度オフになると、コンダクタＬ１に起電力が生じ、コンデンサＣ１をさらに充電して電圧Ｖn2が上昇する。
このようなサイクルが繰り返されることにより、コンデンサＣ１には入力電圧Ｖ１より高い電圧Ｖn2が生じていくことになる。
【００３１】
つぎに、制御部２１０のシーケンサ部２１２が行なう供給電圧制御処理について図５および図６を参照して説明する。図５は、シーケンサ部２１２の処理の流れを示すフロー図であり、図６は、昇圧装置２００がメイン制御回路１５０に供給する電圧の時間変化を示す図である。以下、昇圧装置２００の動作を、初期状態期間ｄ０、昇圧期間ｄ１、第１保持期間ｄ２、降圧期間ｄ３、第２保持期間ｄ３に分かち説明する。
【００３２】
初期状態期間ｄ０において、液晶装置７００の液晶分子は、電源投入前においてはスプレイ配向状態にあり、表示に適さない。このため、時刻ｔ１０において電源が投入されると、昇圧期間ｄ１が開始し、昇圧装置２００は、入力電圧Ｖ１を転移電圧Ｖcom1に向けて昇圧する。
昇圧期間ｄ１において、シーケンサ部２１２は、電源投入を検知すると、第２スイッチング信号Ｖsw2をローベルにしてトランジスタＴｒ２をオフさせるとともに、スイッチ２１３を第１基準電圧Ｖref1に切り替える（Ｓ１０１）。
【００３３】
これにより、図４に示すようにコンデンサＣ１の電圧は上昇していく。その上昇に比例してノードＮ３の電圧Ｖn3も上昇していく。コンパレータ２１４は、電圧Ｖn3と、第１基準電圧Ｖref1とを比較し、電圧Ｖｎ3が第１基準電圧Ｖref1に達したことを検出すると、検出信号をシーケンサ部２１２に出力する。
シーケンサ部２１２は、コンパレータ２１４からの検出信号により、電圧Ｖn3が第１基準電圧Ｖref1に達したこと、すなわち、転移に必要な電圧まで昇圧されたことを検出すると（Ｓ１０２：Ｙ、図６：ｔ１０）、昇圧期間ｄ１を終了して、第１保持期間ｄ２を開始する。
【００３４】
第１保持期間ｄ２において、シーケンサ部２１２は、転移電圧Ｖcom1を維持するためにイネーブル信号ＥＮをローベルにする。これにより、ＡＮＤ回路２１６から出力される第１スイッチング信号Ｖsw1がローレベルとなってトランジスタＴｒ１がオフにする。さらに、シーケンス部２１２はタイマイネーブル信号Ｔenをハイレベルにしてタイマ２１５を起動させる（Ｓ１０３）。
タイマ２１５がカウントアップしている間、転移電圧Ｖcom1が共通電圧Ｖcomとして対向電極６２に供給される。これによって、液晶パネルＡＡの液晶分子はスプレイ配向状態からベンド配向状態に転移する。
【００３５】
タイマ２１５の計数値が所定値に達すると、タイマ２１５は出力信号Ｔoutをアクティブにする。これをシーケンサ部２１２が検知すると（Ｓ１０４：Ｙ、図６：ｔ１１）、シーケンサ部２１２は第１保持期間ｄ２を終了して、降圧期間ｄ３を開始する。具体的には、コンデンサＣ１に生じている転移電圧Ｖcom1を通常電圧Ｖcom2に降圧させるため、シーケンサ部２１２は、スイッチ２１３を制御して第２基準電圧Ｖref2に切り替える。これにより、コンパレータ２１４は第２基準電圧Ｖref2と電圧Ｖn3とを比較する。この比較結果に基づいて、シーケンス部２１２は、第２スイッチング信号Ｖsw2をハイレベルに遷移させ、トランジスタＴｒ２をオンにする（Ｓ１０５）。すると、コンデンサＣ１の電荷は放電され、コンデンサＣ１の電圧は下降していく（図６：ｄ３）。その下降に比例して抵抗Ｒ２に生じる電圧Ｖn3も下降していく。
【００３６】
シーケンス部２１２は、コンパレータ２１４からの検出信号により、電圧Ｖn3が第２基準電圧Ｖref2に達したこと、すなわち、共通電圧Ｖcomが通常電圧Ｖcom2まで降圧されたことを検出すると（Ｓ１０６：Ｙ、図６：ｔ１２）、降圧期間ｄ３を終了して第２保持期間ｄ４を開始する。第２保持期間ｄ４ではシーケンサ部２１２は通常電圧Ｖcom2を維持するように昇圧回路を制御する（Ｓ１０７）。具体的には、コンパレータ２１４の検出信号を監視して、電圧Ｖn3が第２基準電圧Ｖref2を下回ると、イネーブル信号ＥＮをアクティブにしてトランジスタＴｒ１に発振器２１１からのパルスを供給して昇圧回路による昇圧を行なう。そして、電圧Ｖn3が第２基準電圧Ｖref2を上回ると、トランジスタＴｒ２をオンすることで通常電圧Ｖcom2を保持する。すなわち、フィードバック制御により、通常電圧Ｖcom2を保持する。ただし、入力電圧Ｖ１をそのまま液晶装置７００に供給する場合には、昇圧回路による昇圧は不要である。
【００３７】
このように、本実施形態によれば、転移用の転移電圧Ｖcom1を得るための昇圧制御および転移後の通常電圧Ｖcom1への移行制御を簡易な構成で実現することができる。このため、コストダウンを図ることができる。
【００３８】
なお、昇圧装置２００に含まれる昇圧回路は、図３に示した回路に限られない。例えば、図７に示すような回路を用いることもできる。図７に示した昇圧装置３００は、メイン制御回路１５０に供給する電圧として、負の電圧が必要な場合の構成である。本例においては、コンデンサＣ２には負の電位が生じる。この場合でも、抵抗Ｒ３と抵抗Ｒ４によって分圧され、抵抗Ｒ４に生じる電圧を制御部３００の耐電圧内に選ぶことで、制御部３１０を構成する半導体装置のコストダウンを実現することができる。なお、制御部３１０自身の構成も基本的に図３に示した構成と同様とすることができ、簡易な構成によるコストダウンも図ることができる。
【００３９】
次に、本発明に係る液晶装置７００を利用した電子機器について説明する。図８は、以上に説明した液晶装置７００を表示装置として採用したモバイル型のパーソナルコンピュータの構成を示す斜視図である。パーソナルコンピュータ２０００は、表示装置としての液晶装置７００と本体部２０１０とを備える。本体部２０１０には、電源スイッチ２００１およびキーボード２００２が設けられている。
【００４０】
図９に、本発明に係る液晶装置７００を適用した携帯電話機の構成を示す。携帯電話機３０００は、複数の操作ボタン３００１およびスクロールボタン３００２、ならびに表示装置としての液晶装置７００を備える。スクロールボタン３００２を操作することによって、液晶装置７００に表示される画面がスクロールされる。
【００４１】
図１０に、本発明に係る液晶装置７００を適用した携帯情報端末（ＰＤＡ：Personal Digital Assistants）の構成を示す。情報携帯端末４０００は、複数の操作ボタン４００１および電源スイッチ４００２、ならびに表示装置としての液晶装置７００を備える。電源スイッチ４００２を操作すると、住所録やスケジュール帳といった各種の情報が液晶装置７００に表示される。
【００４２】
なお、本発明に係る液晶装置が適用される電子機器としては、図８から図１０に示したもののほか、プロジェクタ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。
【図面の簡単な説明】
【００４３】
【図１】本実施形態に係る液晶装置のブロック図である。
【図２】画像表示領域の詳細な構成を示す図である。
【図３】昇圧装置の構成を示すブロック図である。
【図４】昇圧装置が、入力電圧Ｖ１を昇圧していく様子を表すタイミング図である。
【図５】シーケンサ部の処理の流れを示すフローチャートである。
【図６】共通電圧の時間変化を示す説明図である。
【図７】昇圧装置の他の例を示すブロック図である。
【図８】液晶装置を表示装置として採用したモバイル型のＰＣの構成を示す斜視図である。
【図９】液晶装置を適用した携帯電話機の構成を示す図である。
【図１０】液晶装置を適用した携帯情報端末の構成を示す図である。
【符号の説明】
【００４４】
１０…データ線、２０…走査線、６０…液晶素子、６１…画素電極、６２…対向電極、１００…走査線駆動回路、１１０…走査線駆動回路、１２０…データ線駆動回路、１３０…タイミング発生回路、１４０…画像処理回路、１５０…メイン制御回路、１６０…バックライト、２００…昇圧装置、２１０…制御部、２１１…発振器、２１２…シーケンサ部、２１４…コンパレータ、３００…昇圧装置、３１０…制御部、６００…バックライト、７００…液晶装置、２０００…パーソナルコンピュータ、３０００…携帯電話機、４０００…情報携帯端末。
【図１】
2008216526.tif 000003
【図２】
2008216526.tif 000004
【図３】
2008216526.tif 000005
【図４】
2008216526.tif 000006
【図５】
2008216526.tif 000007
【図６】
2008216526.tif 000008
【図７】
2008216526.tif 000009
【図８】
2008216526.tif 000010
【図９】
2008216526.tif 000011
【図１０】
2008216526.tif 000012